(57)【要約】【課題】フィルタの交換時期を長くして、成形工程の効率の向上が期待できる押出機用フィルタ交換ユニットを提供すること。【解決手段】可動型１３に異物Ｇを堆積収容する異物収容室２０を形成したことにより、第１メッシュＭ１から第２メッシュＭ２に切り替える時期を従来よりも長くできる。すなわち、第１メッシュＭ１を使用する時間が従来よりも長時間となる。つまり、第１メッシュＭ１は、異物収容室２０内の異物Ｇの堆積厚さが異物収容室２０の深さＴとほぼ同一となる寸前まで使用することができる。【選択図】　　　図２
2004142283.tif 000002
【特許請求の範囲】
【請求項１】
押出機のシリンダからダイに至る溶融樹脂の通過経路上に貫通孔を配置させるとともに、同貫通孔に面してセットされたフィルタにより同溶融樹脂を濾して溶融樹脂内に混入している異物を除去するようにした押出機用フィルタ交換ユニットにおいて、
前記フィルタが装着された状態で、同フィルタよりも上流側に異物を堆積収容する異物収容室を備えたことを特徴とする押出機用フィルタ交換ユニット。
【請求項２】
前記異物収容室の下流側には前記フィルタが嵌合される装着溝を有することを特徴とする請求項１に記載の押出機用フィルタ交換ユニット。
【請求項３】
前記異物収容室は前記貫通孔が形成されたベースに対して交差可能なスライド体に複数形成されており、同スライド体は駆動手段によって移動させられて同ベースと交差し、いずれかの同異物収容室が同貫通孔と面するとともに他の異物収容室が外部に露出されるようにしたことを特徴とする請求項１又は２に記載の押出機用フィルタ交換ユニット。
【請求項４】
加熱下にあるシリンダ内部に配設された押出スクリューによって樹脂材料を混練させ、シリンダ前方のダイから所定形状に成形した溶融樹脂を連続的に排出する押出機において、
前記シリンダからダイに至る溶融樹脂の通過経路上に押出機用フィルタ交換ユニットを配設し、同交換ユニットの貫通孔を同通過経路上に配置させ、同貫通孔に面してセットされたフィルタによって同溶融樹脂を濾して溶融樹脂内に混入している異物を除去するようにするとともに、同交換ユニットには同フィルタが装着された状態で同フィルタよりも上流側に異物を堆積収容する異物収容室を備えたことを特徴とする押出機。
【発明の詳細な説明】
【０００１】
【発明の属する技術分野】
本発明は、粉砕された使用済み樹脂を溶融し、所定形状に押し出す押出機に使用されるフィルタ交換ユニットに関するものである。
【０００２】
【従来の技術】
従来から射出成形に使用される材料としてペレット（造粒）が使用されている。ペレットは一般に未使用のバージン樹脂を押出機により溶融して所定の棒状にしてから切断工程を経て得られる。押出機の先端には金属メッシュからなるフィルタが装着されており、溶融樹脂がフィルタを通過することにより、万一バージン樹脂に異物が混入していても、ペレットへの異物の混入を防止することができるような構造とされている。
ところで、近年ではリサイクル問題について強く叫ばれていることから、前記バージン樹脂に代えて、使用済み容器や使用済みパッケージ等の使用済み樹脂を回収し、その回収した使用済み樹脂を再利用してペレットを製造することが行われている。
ところが、回収された使用済み樹脂の中には樹脂以外の異物（木材・アルミ箔・たばこの吸い殻等）が多く含まれているためこれを除去する必要がある。これらは再生過程における破砕工程・洗浄工程等を経て基本的に除去しているが、完全には除去しきれずに残ってしまうため上記のようにフィルタによって濾し取る必要が生ずる。このような再生プラスチック由来の破砕材料（いわゆるフレーク）を使用した押出機について簡単に説明する。
【０００３】
図７に示すように、押出機を構成するシリンダＡは筒状に形成され、内部には図示しないスクリューコンベアが収容されている。シリンダＡの上部にはフレークＦが放り込まれるホッパＨが装着されている。シリンダＡの後部には駆動部Ｄが設置され、同駆動部Ｄの駆動に伴い、前記シリンダＡ内の押出スクリューが回転し、ホッパーＨ内のフレークＦを前方へ搬送する。シリンダＡには図示しないヒータが内蔵され、フレークＦはヒータの熱によりシリンダＡの前端に到達するまでに溶融されるようになっている。シリンダＡの前端部にはフィルタ交換ユニットＹが装着されている。
図８に示すように、フィルタ交換ユニットＹの可動型５５には上述したバージン樹脂の溶融時に使用されたものと同様の金属製メッシュ５６が装着され、溶融樹脂が金属メッシュ５６を通過することにより前工程にて除去されなかった異物が濾されて樹脂と分離される。そして、異物が除去された樹脂はフィルタ交換ユニットＹの下流側に装着された排出ユニット（ダイ）Ｓより棒状となってコンベアＣ上に排出される。棒状に排出された溶融樹脂は冷却された後、切断工程を経てペレットに成形されて再度容器等に再利用される。
【０００４】
ここに前記溶融樹脂は金属メッシュ５６を通過する際に、異物と溶融樹脂とに分離されるが、この分離された異物が大量に堆積すると、金属メッシュ５６の目を詰まらせ内部圧力が上がってしまうことからシリンダＡとフィルタ交換ユニットＹとの接合部の密閉性が低下して、シリンダＡから押し出されてくる溶融樹脂がシリンダＡとフィルタ交換ユニットＹとの接合部から漏出してしまうことがあった。これを防止するために、金属メッシュ５６を所定時間使用したら、未使用の金属メッシュ５６に交換する。これは、金属メッシュ５６から異物のみを取り除く作業が困難であり、金属フィルタ５６ごと交換した方が作業効率が良いためである。
さらにこの際に、金属メッシュ５６の交換作業効率を上げるために、前記フィルタ交換ユニットＹには並行して第１金属メッシュ５６と第２金属メッシュ（図示せず）の２枚の金属メッシュが装着されている。第１金属メッシュ５６を所定時間使用したらフィルタ交換ユニットＹを駆動させ、両金属メッシュ５６が装着されている可動型５５をスライドさせて第１金属メッシュ５６と第２金属メッシュとの位置を入れ替える。すなわち、第１金属メッシュ５６に代えて第２金属メッシュにより異物の除去を行い、一方で異物の付着した第１金属メッシュ５６を取り外し、新たなメッシュ５６を装着するわけである。このように、フィルタ交換ユニットＹに２枚の金属メッシュを並行して装着して交互に使用することにより、素早く金属メッシュの交換作業を行うことができる。
【０００５】
【発明が解決しようとする課題】
しかしながら、上記従来技術では次のような問題があった。
フィルタ交換ユニットＹを駆動させるタイミング、すなわち、第１金属メッシュ５６から第２金属メッシュへの交換サイクルをメッシュの目がさほど詰まっていない状態で比較的早く行わなければならないという問題があった。これは、金属メッシュ５６に付着している異物が、可動型５５をスライドさせた際に可動型５５と固定型５７との間に入り込んでしまい、可動型５５のスライド動作がスムーズに行われなくなり、フィルタ交換ユニットＹが破損するおそれがあるためである。そのため、メッシュの交換サイクルを長くするとともにこのような不具合の生じにくいフィルタ交換ユニットを備えた押出機が求められていた。
また、従来では、メッシュ５６により分離された異物が堆積してシリンダＡに入り込んでしまう。シリンダＡに異物が入り込んでしまった状態で、フィルタ交換ユニットＹを駆動して可動型５５をスライドさせた際、すなわち、第１金属メッシュ５６から第２金属メッシュに切り替えた際に、シリンダＡに入り込んだ異物が未使用の第２金属メッシュ側に一気に入り込んでしまう。そのため、切り替えたばかりのメッシュがすぐに目詰まりを発生し、短時間で異物分離能力が低下してしまうという問題があった。
本発明は、上記問題を解消するためになされたものであって、その目的は、フィルタの交換時期を長くして、成形工程の効率の向上が期待できる押出機用フィルタ交換ユニット及び同ユニットを使用した押出機を提供することにある。
【０００６】
【課題を解決するための手段】
上記目的を達成するために、請求項１に記載の発明では、押出機のシリンダからダイに至る溶融樹脂の通過経路上に貫通孔を配置させるとともに、同貫通孔に面してセットされたフィルタにより同溶融樹脂を濾して溶融樹脂内に混入している異物を除去するようにした押出機用フィルタ交換ユニットにおいて、前記フィルタが装着された状態で、同フィルタよりも上流側に異物を堆積収容する異物収容室を備えたことをその要旨とする。
請求項２に記載の発明では、請求項１に記載の発明において、前記異物収容室の下流側には前記フィルタが嵌合される装着溝を形成したことをその要旨とする。　請求項３に記載の発明では、請求項１又は２に記載の発明において、前記異物収容室は前記貫通孔が形成されたベースに対して交差可能なスライド体に複数形成されており、同スライド体は駆動手段によって移動させられて同ベースと交差し、いずれかの同異物収容室が同貫通孔と面するとともに他の異物収容室が外部に露出されるようにしたことをその要旨とする。
請求項４に記載の発明では、加熱下にあるシリンダ内部に配設された押出スクリューによって樹脂材料を混練させ、シリンダ前方のダイから所定形状に成形した溶融樹脂を連続的に排出する押出機において、前記シリンダからダイに至る溶融樹脂の通過経路上に押出機用フィルタ交換ユニットを配設し、同交換ユニットの貫通孔を同通過経路上に配置させ、同貫通孔に面してセットされたフィルタによって同溶融樹脂を濾して溶融樹脂内に混入している異物を除去するようにするとともに、同交換ユニットには同フィルタが装着された状態で同フィルタよりも上流側に異物を堆積収容する異物収容室を備えるようにしたことをその要旨とする。
【０００７】
（作用）
上記のような構成では、押出機において溶融樹脂に混合する異物は貫通孔に面して配設されたフィルタにて分離される。フィルタの上流には異物収容室があるためこの分離された異物は異物収容室に堆積収容される。この際に異物収容室の下流側には前記フィルタが嵌合される装着溝が形成されることが好ましい。フィルタを装着溝に嵌合させることによりフィルタの移動が規制されるためである。また、異物収容室を貫通孔が形成されたベースに対して交差可能なスライド体に複数形成し、このスライド体をシリンダ装置等のような駆動手段によって移動させて、いずれかの異物収容室が貫通孔と面するようにしてもよい。このようにすれば現在使用中の異物収容室に異物が堆積して交換の必要が生じた場合に、スライド体を移動させて他の異物収容室を貫通孔と面するようにするだけで引き続き異物を除去でき、その間に異物が付着したフィルタを交換することができる。
【０００８】
【発明の実施の形態】
以下、本発明を具体化した一実施形態を図面に基づいて説明する。なお、本実施形態では、上記従来技術にて説明したフィルタ交換ユニットＹの構成が相違するだけであるため、同一部材については同従来技術と同じ符号を付すことで詳しい説明は省略する。尚、以下の説明において前後あるいは下流・上流とは図２における左右方向を言う。
図３に示すように、フィルタ交換ユニットＹを構成するベースとしての固定型１１はシリンダＡの先端に同シリンダＡの排出方向と交差して連結され、その中央部にはシリンダＡと略同径の円形形状の貫通孔１２が形成されている。固定型１１には可動型１３が左右方向へスライド可能に嵌合されている。図３において固定型１１の右端面には支持部材１５を介して油圧シリンダ１６が支持されている。油圧シリンダ１６のピストンロッド１７は前記可動型１３の右端面に連結されている。前記可動型１３は前後方向に厚みのある板体であって、左右方向に２つのメッシュ収容凹部１８が並んで形成されている。
メッシュ収容凹部１８は円形の透孔とされ、同凹部１８の内周面には内方に向かって突出するリング状のフィルタ支持部としてのリブ１９が全周に渡って形成されている。
両フィルタ収容凹部１８内部であってリブ１９の上流側には第１メッシュＭ１及び第２メッシュＭ２がそれぞれ収容保持されている。メッシュＭ１，Ｍ２の外形は前記メッシュ収容凹部１８の孔径よりもわずかに大径となっている。メッシュ収容凹部１８の内周面であってリブ１９と隣接する位置には装着溝２１が形成されている。装着溝２１の溝幅は前記メッシュＭ１，Ｍ２の厚さとほぼ同じである。また、装着溝２１の内径はメッシュＭ１，Ｍ２の外形とほぼ同径である。前記メッシュＭ１，Ｍ２は装着溝２１に嵌合されており、可動型１３に対するメッシュＭ１，Ｍ２の移動が規制されるようになっている。
前記可動型１３の上流側端面とメッシュＭ１，Ｍ２との間におけるメッシュ収容凹部１８には異物収容室２０が形成されている。本実施形態では、この異物収容室２０の深さＴは３０ｍｍとされている。
【０００９】
前記ピストンロッド１７の伸長時には図３に示すように、第１メッシュＭ１と固定型１１の貫通孔１２とが対向する位置に可動型１３が保持され、ピストンロッド１７の収縮時には図４に示すように、第２メッシュＭ２と固定型１１の貫通孔１２とが対向する位置に可動型１３が保持されるようになっている。
【００１０】
次に、本実施形態の作用について説明する。
まず、作業開始時にはフィルタ交換ユニットＹは図３に示す状態に保持されている。すなわち、ピストンロッド１７が進出状態とされ、第１メッシュＭ１と固定型１１の貫通孔１２とが対向している状態に保持されている。押出機を駆動させ、ホッパＨ内にフレークＦを入れ込むと、フレークＦはスクリューコンベアによりシリンダＡ内を下流側へ向けて搬送される。フレークＦはシリンダＡ内で溶融された状態で固定型１１の貫通孔１２及び可動型１３のフィルタ収容凹部１８から第１メッシュＭ１を通過し、排出ユニット（ダイ）Ｓへ押し出される。溶融樹脂が第１メッシュＭ１を通過する際、樹脂に混入していた異物Ｇが分離され、異物Ｇが取り除かれた溶融樹脂のみが排出ユニット（ダイ）Ｓ方向へ押し出される。第１メッシュＭ１により溶融樹脂と分離された異物Ｇは第１メッシュＭ１の上流側の面に付着する。引き続きシリンダＡから押し出されてきた溶融樹脂中の異物ＧがメッシュＭ１に付着しきれなくなった場合には、既に第１メッシュＭ１に付着している異物Ｇに堆積していく。すなわち、異物Ｇは異物収容室２０に堆積収容されていく。
【００１１】
押出機を駆動してから所定時間が経過したら、作業者は油圧シリンダ１６を操作してピストンロッド１７を後退させる。すなわち、可動型１３の位置を第２メッシュＭ２と固定型１１の貫通孔１２とが対向する図４の状態に切り替えさせる。これにより、異物Ｇの分離能力の低下した第１メッシュＭ１に代わって未使用の第２メッシュＭ２による異物Ｇの除去が行われる。第２メッシュＭ２により異物Ｇの除去が行われている状態において、先に異物Ｇの除去作業を終えた使用済みの第１メッシュＭ１を可動型１３から取り外す。第１メッシュＭ１の装着方向の逆方向側（下流側）から第１メッシュＭ１を強く押し出すようにすることで、収容溝２１から第１メッシュＭ１が外れ、可動型１３から第１メッシュＭ１を取り出すことができる。そして、未使用のメッシュＭ１をメッシュ収容凹部１８から強く挿入し、第１メッシュＭ１をわずかに変形させながら装着溝２１に第１メッシュＭ１を嵌合させる。これで、未使用の第１メッシュＭ１の交換作業が完了する。
また、同じように第２メッシュＭ２による異物Ｇの除去が行われてから所定時間が経過したら、油圧シリンダ１６を操作してピストンロッド１７を再び伸長させて可動型１３を図３の位置に切り替えさせる。そして、上記と同様に異物Ｇの除去作業を終えた使用済みの第２メッシュＭ２と未使用のメッシュＭ２を交換する。
以上の動作が繰り返されて溶融樹脂の押出工程が行われる。
【００１２】
以上、詳述したように本実施形態では上記のようにフィルタ交換ユニットＹを構成したことにより、次のような効果を得ることができる。
（１）可動型１３に異物Ｇを堆積収容する異物収容室２０を形成したことにより、第１メッシュＭ１から第２メッシュＭ２に切り替える時期を従来よりも長くできる。すなわち、第１メッシュＭ１を使用する時間が従来よりも長時間となる。つまり、第１メッシュＭ１は、異物収容室２０内の異物Ｇの堆積厚さが異物収容室２０の深さＴとほぼ同一となる寸前まで使用することができる。このように、本実施形態では、従来よりも多くの異物Ｇを収容可能であることから装置の稼働時間を長時間とでき、ペレットの製造効率を向上することができる。
（２）従来では短い時間でこまめにメッシュの切り替え作業を行わなければ、可動型５５と固定型５７との間に異物Ｇが入り込んでしまい、可動型５５のスライド動作がスムーズに行われなくなり、フィルタ交換ユニットＹが破損するおそれがあった。しかし、本実施形態では、可動型１３に異物Ｇを堆積収容する異物収容室２０を形成したことにより、第１メッシュＭ１から第２メッシュＭ２に切り替える時期を余裕を持つことができ、フィルタ交換ユニットＹの破損を防止できる。
（３）可動型１３に装着溝２１を形成し、同溝３１にメッシュＭ１，Ｍ２を嵌合させて可動型１３に対するメッシュＭ１，Ｍ２の移動を規制するようにした。すなわち、他の規制部材（スナップリング等）を使用することなく可動型１３に対するメッシュＭ１，Ｍ２の移動を規制することができることから、メッシュＭ１，Ｍ２の交換作業を素早く行うことができ、さらに一層ペレットの製造効率を向上することができる。
（４）可動型１３に異物収容室２０を形成したことにより、シリンダＡ側への異物Ｇの逆流を防止できる。すなわち、メッシュＭ１，Ｍ２にて分離された異物Ｇは可動型１３の異物収容室２０に堆積収容されることから、分離された異物ＧがシリンダＡへ入り込むのを防止できる。これにより、メッシュ交換時（メッシュＭ１（Ｍ２）→メッシュＭ２（Ｍ１）への切り替え時）において、可動型１３をスライドさせてもシリンダＡには先のメッシュＭ１（Ｍ２）にて分離された異物Ｇが残留していないことから、切り替わったメッシュＭ１（Ｍ２）による異物Ｇの分離能力を長時間において維持することができる。
【００１３】
本発明を、以下のように具体化して実施してもよい。
・上記実施形態では、フィルタとして金属メッシュ製のものを使用したが、フィルタとして図５に示す金属板にプレス加工で多数のパンチ孔４１を開けたプレートＰを使用して具体化してもよい。
・上記実施形態では、第１メッシュＭ１側と第２メッシュＭ２側の両側に異物収容室２０を形成したが、第１メッシュＭ１側のみに異物収容室２０を形成して具体化してもよい。
・フィルタとしてのメッシュＭ１，Ｍ２の粗さを適宜変更して具体化してもよい。
・異物収容室２０の深さを適宜変更して具体化してもよい。
・フィルタ交換ユニットＹの可動型１３に装着溝２１を形成せずに具体化してもよい。
・スナップリングを使用してフィルタとしてのメッシュＭ１，Ｍ２を固定型１１に固定してもよい。
・スライド体としての可動型１３を、図６のように代えて具体化してもよい。すなわち、図６に示すように、本実施形態のスライドとしての可動型４１は円盤状に形成されている。可動型４１には上記実施形態と同形状のメッシュ収容凹部４２が等角度間隔で４カ所に形成されている。各メッシュ収容凹部４２には第１メッシュＭ１、第２メッシュＭ２、第３メッシュＭ３、第４メッシュＭ４が各々収容されている。可動型４１はモータ４３の軸４４に連結され、モータ４３の駆動に伴い回転する。
すなわち、本実施形態では、可動型４１を９０°ずつ回転させ、固定型４５に対して各メッシュ収容凹部４２を相対移動させることにより、第１メッシュＭ１→第２メッシュＭ２→第３メッシュＭ３→第４メッシュＭ４への交換が行われる。このように、構成しても上記実施形態と同様の効果を得ることができるとともに、可動型４１に装着するメッシュＭ１〜Ｍ４の枚数を多くできることから、メッシュＭ１〜Ｍ４の交換作業（使用済みのメッシュ→未使用のメッシュへの交換作業）の作業回数を減少できるという効果を奏する。
ここで、前記可動型４１に形成するメッシュ収容凹部４２の数は３箇所又は５カ所以上として具体化してもよい。
・フィルタ交換ユニットＹと排出ユニット（ダイ）Ｓとの間に他のユニット、例えば定量制御用のポンプ等が配設されていてもよい。
・上記実施形態では、１つのメッシュ収容凹部１８にそれぞれ１枚ずつフィルタとしてのメッシュＭ１，Ｍ２を装着して具体化したが、１メッシュ収容凹部１８当たり、２枚以上のメッシュＭ１，Ｍ２を装着して具体化してもよい。
・可動型１３を駆動する駆動手段としては油圧シリンダ１６以外の手段であってもよい。また、上記では作業者が時間をチェックして自身で操作していたが、自動的に切り換えるようにしても構わない。
・フィルタとしてのメッシュの材質を金属製以外のセラミック製や樹脂製として具体化してもよい。フィルタの材質を樹脂として具体化する場合には、シリンダＡにより溶融される樹脂の融点温度よりも高い樹脂製のフィルタを使用することが望ましい。
その他、本発明はその趣旨を逸脱しない範囲において変更した態様で実施することは自由である。
【００１４】
本発明の目的を達成するために上記実施の形態から把握できるその他の技術的思想について下記に付記として説明する。
（１）前記異物収容室の下流側には前記フィルタの周縁が支持されるフィルタ支持部が形成され、前記装着溝は同フィルタ支持部の上流側に隣接して形成されていることを特徴とする請求項１〜３に記載の押出機用フィルタ交換ユニット。
（２）前記スライド体は駆動手段によって回転していずれかの異物収容室がベースの貫通孔と面することを特徴とする請求項３又は付記１に記載の押出機用フィルタ交換ユニット。
（３）前記異物収容室の下流側には前記フィルタの周縁が支持されるフィルタ支持部が形成され、前記装着溝は同フィルタ支持部の上流側に隣接して形成されていることを特徴とする請求項４に記載の押出機。
（４）前記異物収容室の下流側には前記フィルタが嵌合される装着溝を有することを特徴とする請求項４又は付記３に記載の押出機。
（５）前記異物収容室は前記貫通孔が形成されたベースに対して交差可能なスライド体に複数形成されており、同スライド体は駆動手段によって移動させられて同ベースと交差し、いずれかの同異物収容室が同貫通孔と面するとともに他の異物収容室が外部に露出されるようにしたことを特徴とする請求項４若しくは付記３又は４のいずれかに記載の押出機。
【００１５】
【発明の効果】
請求項１及び請求項４に記載の発明によれば、フィルタにて分離された異物が異物収容室に堆積収容されることから、従来よりもフィルタ交換時期を長くすることができる。その結果、装置の駆動時間が長くなり、ペレットの製造効率の向上を図ることができるという優れた効果を奏する。
請求項２に記載の発明によれば、請求項１に記載の発明の効果に加え、フィルタの交換作業を簡略化でき、ペレットの製造効率の向上を図ることができるという優れた効果を奏する。
請求項３に記載の発明によれば、請求項１又は２に記載の発明の効果に加え、いずれかの異物収容室が貫通孔と面するようにしてもよい。このようにすれば現在使用中の異物収容室に異物が堆積して交換の必要が生じた場合に、スライド体を移動させて他の異物収容室を貫通孔と面するようにするだけで引き続き異物を除去でき、その間に異物が付着したフィルタを交換することができるためペレットの製造効率の向上を図ることができるという優れた効果を奏する。
【００１６】
【図面の簡単な説明】
【図１】可動型の斜視図。
【図２】フィルタ交換ユニットの側断面図。
【図３】ピストンロッド伸長時のフィルタ交換ユニットの正面図。
【図４】ピストンロッド収縮時のフィルタ交換ユニットの正面図。
【図５】他の実施形態のフィルタの正面図。
【図６】他の実施形態のフィルタ交換ユニットの正面図。
【図７】押出機の概略側面図。
【図８】従来技術のフィルタ交換ユニットの側断面図。
【符号の説明】
１１…フィルタ交換ユニットを構成するベースとしての固定型、１３…フィルタ交換ユニットを構成するスライド体としての可動型、１６…フィルタ交換ユニットを構成するシリンダ、２０…異物収容室、２１…装着溝、４１…フィルタ交換ユニットを構成するスライド体としての可動型、４５…フィルタ交換ユニットを構成するベースとしての固定型Ｇ…異物、Ｙ…フィルタ交換ユニット、Ｍ１…フィルタとしての第１メッシュ、Ｍ２…フィルタとしての第２メッシュ、Ｍ３…フィルタとしての第３メッシュ、Ｍ４…フィルタとしての第４メッシュ。
【図１】
2004142283.tif 000003
【図２】
2004142283.tif 000004
【図３】
2004142283.tif 000005
【図４】
2004142283.tif 000006
【図５】
2004142283.tif 000007
【図６】
2004142283.tif 000008
【図７】
2004142283.tif 000009
【図８】
2004142283.tif 000010